(57)【要約】【課題】複数の選手が同時並行的に異なる位置においてパフォーマンスを行うスポーツ競技の観戦者が、所望の選手や種目のパフォーマンスを見逃すことなく観ることができる。【解決手段】複数のカメラからの映像ストリームを収集する収集部と、収集した映像ストリームから配信映像ストリームを生成して放送する配信部とを備える映像収集配信設備装置と、映像収集配信設備装置からの放送信号を受信して配信映像ストリームを表示画面に表示する観戦者端末とを設ける。配信映像ストリームには観戦者による観視を推奨する場面の到来前に通知するための推奨場面通知情報が付加されると共に、撮影位置の情報及び／または選手を特定するための情報が付加される。観戦者端末は、登録した撮影位置の情報及び／または選手が付加された推奨場面通知情報が付加された配信映像ストリームを検出したときに、それを観戦者に報知する報知手段を備える。【選択図】図１
2019216483.tif 000002
【特許請求の範囲】
【請求項１】
複数の選手が同時並行的に異なる位置において競技のパフォーマンスを行うスポーツ競技のライブ観戦システムであって、
撮影した映像の映像ストリームを無線送信する複数のカメラと、
前記複数のカメラから無線送信されてくる前記映像ストリームを収集する収集部と、前記収集した前記映像ストリームに基づく配信映像ストリームの複数個を放送信号として配信する配信部とを備える映像収集配信設備装置と、
前記競技の観戦者が観視するための表示画面を備え、前記映像収集配信設備装置からの前記放送信号を受信し、前記配信映像ストリームを前記表示画面に表示する観戦者端末と、
を備え、
前記映像収集配信設備装置は、
前記収集した前記複数のカメラからの前記映像ストリームのそれぞれの画像内容に基づいて、前記観戦者による観視を推奨する前記選手による前記競技のパフォーマンスの推奨場面を、当該推奨場面の開始前に通知するための推奨場面通知情報を生成し、前記推奨場面通知情報を前記配信映像ストリームのそれぞれに付加するようにすると共に、前記推奨場面の撮影位置の情報及び／または前記推奨場面で前記競技のパフォーマンスを行う選手を特定するための情報を、前記推奨場面通知情報に対応付けて付加し、
前記観戦者端末は、
前記観戦者が観視を希望する撮影位置及び／または前記競技のパフォーマンスを行う選手の前記観戦者による登録を受け付けて登録情報記憶部に記憶する登録手段と、
前記受信した放送信号の前記配信映像ストリームに含まれる前記推奨場面通知情報を検出すると共に、前記検出した前記推奨場面通知情報に対応付けられている前記撮影位置の情報及び／または前記選手を特定するための情報と、前記登録情報記憶部に記憶されている前記撮影位置の情報及び／または前記競技のパフォーマンスを行う選手とが合致する前記配信映像ストリームを検出し、前記合致する前記配信映像ストリームを前記観戦者に報知する報知手段と
を備えることを特徴とするスポーツ競技ライブ観戦システム。
【請求項２】
前記映像収集配信設備装置は、前記収集部で収集した前記映像ストリームのそれぞれの画像内容に含まれる前記選手の挙動及び／または状況の画像認識結果に基づいて、前記推奨場面通知情報を生成する
ことを特徴とする請求項１に記載のスポーツ競技ライブ観戦システム。
【請求項３】
前記カメラは、前記選手が行う前記パフォーマンスを撮影する位置のそれぞれに対応して設置され、前記映像ストリームを、自機のカメラ識別情報を付加して無線送信し、
前記映像収集配信設備装置は、前記カメラ識別情報に基づいて、前記撮影位置の情報を取得する
ことを特徴とする請求項１または請求項２に記載のスポーツ競技ライブ観戦システム。
【請求項４】
前記カメラは、前記選手の移動に伴って移動するものであって、現在位置を検出してその位置情報を発生する位置情報発生手段を備え、前記映像ストリームに、前記位置情報発生手段からの位置情報を付加して無線送信し、
前記映像収集配信設備装置は、前記位置情報に基づいて、前記撮影位置の情報を取得する
ことを特徴とする請求項１または請求項２に記載のスポーツ競技ライブ観戦システム。
【請求項５】
前記観戦者端末は、前記選手が行う前記パフォーマンスを撮影する撮影位置のリスト、及び／または前記競技のパフォーマンスを行う選手のリストを記憶する登録メニューリストを備え、
前記観戦者端末の前記登録手段は、前記選手が行う前記パフォーマンスを撮影する撮影位置のリストの中から、及び／または前記競技のパフォーマンスを行う選手のリストの中から、前記観戦者により選択された撮影位置、及び／または前記観戦者により選択された選手を登録する
ことを特徴とする請求項１〜請求項４のいずれかに記載のスポーツ競技ライブ観戦システム。
【請求項６】
前記観戦者端末は、前記登録手段で登録された前記撮影位置及び／または前記競技のパフォーマンスを行う選手に対応するアイコンを、前記表示画面に表示する手段を備え、
前記報知手段は、前記合致する前記配信映像ストリームに付加されている撮影位置及び／または前記競技のパフォーマンスを行う選手に対応する前記アイコンの表示態様を変更することで前記報知を行う
ことを特徴とする請求項１〜請求項５のいずれかに記載のスポーツ競技ライブ観戦システム。
【請求項７】
前記アイコンは、前記登録手段で登録された前記撮影位置及び／または前記競技のパフォーマンスを行う選手に対応するサムネイル画像である
ことを特徴とする請求項６に記載のスポーツ競技ライブ観戦システム。
【請求項８】
前記報知手段は、前記アイコンをフラッシングすることで、及び／または前記アイコンの大きさを変化させることで、前記報知を行う
ことを特徴とする請求項６または請求項７に記載のスポーツ競技ライブ観戦システム。
【請求項９】
前記映像収集配信設備装置は、前記推奨場面通知情報に、前記推奨場面の推奨度の大小の情報を付加し、
前記観戦者端末の前記報知手段は、前記推奨場面の推奨度が大きいほど前記アイコンのフラッシングを激しくすることで、及び／または前記アイコンの大きさを大きくすることで、前記報知を行う
ことを特徴とする請求項８に記載のスポーツ競技ライブ観戦システム。
【請求項１０】
前記アイコンをフラッシングすることで、及び／または前記アイコンの大きさを変化させることで、前記報知を行うことに代えて、あるいは、加えて、音声による報知及び／または振動による報知をする
ことを特徴とする請求項８または請求項９に記載のスポーツ競技ライブ観戦システム。
【請求項１１】
前記観戦者端末は、前記アイコンの選択操作を受け付ける操作部を備えていると共に、前記操作部を通じて前記アイコンが選択操作されたときには、前記選択操作されたアイコンに対応する前記配信映像ストリームによる画像が前記表示画面に表示されるように構成されている
ことを特徴とする請求項６〜請求項１０のいずれかに記載のスポーツ競技ライブ観戦システム。
【請求項１２】
前記表示画面に表示される前記アイコンの数は増減可能とされている
ことを特徴とする請求項６〜請求項１１のいずれかに記載のスポーツ競技ライブ観戦システム。
【請求項１３】
前記表示画面に表示される前記アイコンの数は固定であり、前記登録された前記撮影位置及び／または前記競技のパフォーマンスを行う選手の前記アイコンは、前記表示画面において、入れ替え表示が可能とされている
ことを特徴とする請求項６〜請求項１１のいずれかに記載のスポーツ競技ライブ観戦システム。
【請求項１４】
前記推奨場面通知情報は、前記配信映像ストリームにおいて、前記推奨場面の開始点から終了点までの区間を示す推奨フラグである
ことを特徴とする請求項１〜請求項１３のいずれかに記載のスポーツ競技ライブ観戦システム。
【請求項１５】
前記推奨フラグは、前記推奨場面の推奨度に応じて異なる複数の値を有する
ことを特徴とする請求項１４に記載のスポーツ競技ライブ観戦システム。
【請求項１６】
前記選手を特定するための情報には、前記選手が属する国または団体を識別するための情報が含まれている
ことを特徴とする請求項１〜請求項１５のいずれかに記載のスポーツ競技ライブ観戦システム。
【請求項１７】
前記スポーツ競技は、複数の種目を含むものであり、
前記推奨場面の前記撮影位置の情報は、前記複数の種目のいずれであるかを示す情報である
ことを特徴とする請求項１〜請求項１６のいずれかに記載のスポーツ競技ライブ観戦システム。
【請求項１８】
前記映像収集配信設備装置は、前記収集部で収集した前記映像ストリームのそれぞれの画像内容に基づいて、前記映像ストリームに含まれる前記選手を認識し、その認識した選手を特定するための情報を、前記放送する前記映像ストリームのそれぞれに付加するようにする
ことを特徴とする請求項１〜請求項１７のいずれかに記載のスポーツ競技ライブ観戦システム。
【請求項１９】
前記観戦者端末は、前記放送に含まれる複数の前記映像ストリームのそれぞれを択一的に選択するための手段を備える
ことを特徴とする請求項１〜請求項１８のいずれかに記載のスポーツ競技ライブ観戦システム。
【請求項２０】
前記競技のパフォーマンスが行われる場所のレイアウト図を表示画面に表示すると共に、前記推奨場面がどの位置かを報知する手段を備える
ことを特徴とする請求項１〜請求項１９のいずれかに記載のスポーツ競技ライブ観戦システム。
【請求項２１】
前記競技は、予選と決勝とを有するものであり、
前記登録手段は、前記決勝に進出する選手の情報を取得して、前記決勝に進出する前記選手について登録を受けるようにする
ことを特徴とする請求項１〜請求項２０のいずれかに記載のスポーツ競技ライブ観戦システム。
【請求項２２】
前記競技においてプレーオフが行われる場合に、前記プレーオフに参加する選手を前記カメラが追従するようにして、前記配信映像ストリームを配信する
ことを特徴とする請求項１〜請求項２１のいずれかに記載のスポーツ競技ライブ観戦システム。
【請求項２３】
前記競技において、優勝が決定した瞬間を前記推奨場面として含む配信映像ストリームを配信する
ことを特徴とする請求項１〜請求項２２のいずれかに記載のスポーツ競技ライブ観戦システム。
【請求項２４】
前記競技において、優勝決定後の優勝者及び／または入賞者を前記カメラが追従するようにして、前記配信映像ストリームを配信する
ことを特徴とする請求項１〜請求項２３のいずれかに記載のスポーツ競技ライブ観戦システム。
【請求項２５】
前記登録手段は、前記競技に参加している前記選手の順位表の情報を取得して、前記取得した順位表の情報に基づいて前記選手について登録を受けるようにする
ことを特徴とする請求項１〜請求項２４いずれかに記載のスポーツ競技ライブ観戦システム。
【請求項２６】
前記配信映像ストリームの前記推奨場面通知情報には、前記競技のパフォーマンスを行う前記選手の順位を示す情報が付加されていると共に、
前記登録手段で登録される前記選手の情報は、前記順位である
ことを特徴とする請求項１〜請求項２５のいずれかに記載のスポーツ競技ライブ観戦システム。
【請求項２７】
前記配信映像ストリームの前記推奨場面通知情報には、前記競技において複数の選手からなる組の情報が付加されていると共に、
前記登録手段で登録される前記選手の情報は、前記組の情報である
ことを特徴とする請求項１〜請求項２６のいずれかに記載のスポーツ競技ライブ観戦システム。
【請求項２８】
前記登録手段により受け付けられた、前記観戦者が観視を希望する撮影位置及び／または前記競技のパフォーマンスを行う選手の登録には、優先順位が付けられており、
前記推奨場面通知情報が、複数の前記観戦者が観視を希望する撮影位置及び／または前記競技のパフォーマンスを行う選手について重なった時に、前記優先順位に従って前記観戦者に対する前記報知がなされる
ことを特徴とする請求項１〜請求項２７のいずれかに記載のスポーツ競技ライブ観戦システム。
【請求項２９】
前記登録手段は、前記観戦者が観視を希望する撮影位置と、前記競技のパフォーマンスを行う選手とをペアとする登録を受け付ける
ことを特徴とする請求項１〜請求項２８のいずれかに記載のスポーツ競技ライブ観戦システム。
【請求項３０】
撮影した映像の映像ストリームを無線送信する複数のカメラと、映像収集配信設備装置と、複数の選手が同時並行的に異なる位置において競技のパフォーマンスを行うスポーツ競技の観戦者が観視するための表示画面を備え、前記映像収集配信設備装置からの放送信号を受信し、前記映像ストリームを前記表示画面に表示する観戦者端末とを備えるスポーツ競技ライブ観戦システムの前記映像収集配信設備装置であって、
前記複数のカメラから無線送信されてくる前記映像ストリームを収集する収集部と、
前記収集した前記映像ストリームに基づく配信映像ストリームの複数個を放送信号として配信する配信部と、
を備え、
前記収集した前記複数のカメラからの前記映像ストリームのそれぞれの画像内容に基づいて、前記観戦者による観視を推奨する前記選手による前記競技のパフォーマンスの推奨場面を、当該推奨場面の開始前に通知するための推奨場面通知情報を生成し、前記推奨場面通知情報を前記配信映像ストリームのそれぞれに付加するようにすると共に、前記推奨場面の撮影位置の情報及び／または前記推奨場面で前記競技のパフォーマンスを行う選手を特定するための情報を、前記推奨場面通知情報に対応付けて付加するようにした
ことを特徴とするスポーツ競技ライブ観戦システムの映像収集配信設備装置。
【請求項３１】
前記収集部で収集した前記映像ストリームのそれぞれの画像内容に含まれる前記選手の挙動及び／または状況の画像認識結果に基づいて、前記推奨場面通知情報を生成する
ことを特徴とする請求項３０に記載の映像収集配信設備装置。
【請求項３２】
前記カメラは、前記選手が行う前記パフォーマンスを撮影する位置のそれぞれに対応して設置され、前記映像ストリームを、自機のカメラ識別情報を付加して無線送信するものであり、
前記カメラ識別情報に基づいて、前記撮影位置の情報を取得する
ことを特徴とする請求項３０または請求項３１に記載の映像収集配信設備装置。
【請求項３３】
前記カメラは、前記選手の移動に伴って移動するものであって、現在位置を検出してその位置情報を発生する位置情報発生手段を備え、前記映像ストリームに、前記位置情報発生手段からの位置情報を付加して無線送信するものであり、
前記位置情報に基づいて、前記撮影位置の情報を取得する
ことを特徴とする請求項３０または請求項３１に記載の映像収集配信設備装置。
【請求項３４】
前記推奨場面通知情報に、前記推奨場面の推奨度の大小の情報を付加する
ことを特徴とする請求項３０〜請求項３３のいずれかに記載の映像収集配信設備装置。
【請求項３５】
前記競技において、優勝が決定した瞬間を前記推奨場面として含む配信映像ストリームを配信する
ことを特徴とする請求項３０〜請求項３４のいずれかに記載のスポーツ競技ライブ観戦システムの映像収集配信設備装置。
【請求項３６】
前記競技において、優勝決定後の優勝者及び／または入賞者を前記カメラが追従するようにして、前記配信映像ストリームを配信する
ことを特徴とする請求項３０〜請求項３５のいずれかに記載のスポーツ競技ライブ観戦システムの映像収集配信設備装置。
【請求項３７】
撮影した映像の映像ストリームを無線送信する複数のカメラと、映像収集配信設備装置と、複数の選手が同時並行的に異なる位置において競技のパフォーマンスを行うスポーツ競技の観戦者が観視するための表示画面を備え、前記映像収集配信設備装置からの放送信号を受信し、前記映像ストリームを前記表示画面に表示する観戦者端末とを備えるスポーツ競技ライブ観戦システムの前記映像収集配信設備装置が備えるコンピュータを、
前記複数のカメラから無線送信されてくる前記映像ストリームを収集する収集部、
前記収集した前記映像ストリームに基づく配信映像ストリームの複数個を放送信号として配信する配信部、
として機能させるための映像収集配信設備装置用のプログラムであって、
前記配信部は、前記収集した前記複数のカメラからの前記映像ストリームのそれぞれの画像内容に基づいて、前記観戦者による観視を推奨する前記選手による前記競技のパフォーマンスの推奨場面を、当該推奨場面の開始前に通知するための推奨場面通知情報を生成し、前記推奨場面通知情報を前記配信映像ストリームのそれぞれに付加するようにすると共に、前記推奨場面の撮影位置の情報及び／または前記推奨場面で前記競技のパフォーマンスを行う選手を特定するための情報を、前記推奨場面通知情報に対応付けて付加するようにする
ことを特徴とする映像収集配信設備装置用のプログラム。
【請求項３８】
撮影した映像の映像ストリームを無線送信する複数のカメラと、
前記複数のカメラから無線送信されてくる前記映像ストリームを収集する収集部と、前記収集した前記映像ストリームに基づく配信映像ストリームの複数個を放送信号として配信する配信部とを備え、前記収集した前記複数のカメラからの前記映像ストリームのそれぞれの画像内容に基づいて、前記観戦者による観視を推奨する前記選手による前記競技のパフォーマンスの推奨場面を、当該推奨場面の開始前に通知するための推奨場面通知情報を生成し、前記推奨場面通知情報を前記配信映像ストリームのそれぞれに付加するようにすると共に、前記推奨場面の撮影位置の情報及び／または前記推奨場面で前記競技のパフォーマンスを行う選手を特定するための情報を、前記推奨場面通知情報に対応付けて付加するようにする映像収集配信設備装置と、
複数の選手が同時並行的に異なる位置において競技のパフォーマンスを行うスポーツ競技の観戦者が観視するための表示画面を備える観戦者端末と、
を備えるスポーツ競技ライブ観戦システムの前記観戦者端末であって、
前記観戦者が観視を希望する撮影位置及び／または前記競技のパフォーマンスを行う選手の前記観戦者による登録を受け付けて登録情報記憶部に記憶する登録手段と、
前記映像収集配信設備装置からの放送信号を受信する手段と、
前記受信した放送信号の前記配信映像ストリームを前記表示画面に表示する手段と、
前記受信した放送信号の前記配信映像ストリームに含まれる前記推奨場面通知情報を検出すると共に、前記検出した前記推奨場面通知情報に対応付けられている前記撮影位置の情報及び／または前記選手を特定するための情報と、前記登録情報記憶部に記憶されている前記撮影位置の情報及び／または前記競技のパフォーマンスを行う選手とが合致する前記配信映像ストリームを検出し、前記合致する前記配信映像ストリームを前記観戦者に報知する報知手段と
を備える
ことを特徴とするスポーツ競技ライブ観戦システムの観戦者端末。
【請求項３９】
前記選手が行う前記パフォーマンスを撮影する撮影位置のリスト、及び／または前記競技のパフォーマンスを行う選手のリストを記憶する登録メニューリストを備え、
前記登録手段は、前記選手が行う前記パフォーマンスを撮影する撮影位置のリストの中から、及び／または前記競技のパフォーマンスを行う選手のリストの中から、前記観戦者により選択された撮影位置、及び／または前記観戦者により選択された選手を登録する
ことを特徴とする請求項３８に記載のスポーツ競技ライブ観戦システムの観戦者端末。
【請求項４０】
前記登録手段で登録された前記撮影位置及び／または前記競技のパフォーマンスを行う選手に対応するアイコンを、前記表示画面に表示する手段を備え、
前記報知手段は、前記合致する前記配信映像ストリームに付加されている撮影位置及び／または前記競技のパフォーマンスを行う選手に対応する前記アイコンの表示態様を変更することで前記報知を行う
ことを特徴とする請求項３８または請求項３９に記載のスポーツ競技ライブ観戦システムの観戦者端末。
【請求項４１】
前記アイコンは、前記登録手段で登録された前記撮影位置及び／または前記競技のパフォーマンスを行う選手に対応するサムネイル画像である
ことを特徴とする請求項４０に記載のスポーツ競技ライブ観戦システムの観戦者端末。
【請求項４２】
前記報知手段は、前記アイコンをフラッシング及び／または前記アイコンの大きさを変化させることで、前記報知を行う
ことを特徴とする請求項４０または請求項４１に記載のスポーツ競技ライブ観戦システムの観戦者端末。
【請求項４３】
前記映像収集配信設備装置は、前記推奨場面通知情報に、前記推奨場面の推奨度の大小の情報を付加するものであり、
前記報知手段は、前記推奨場面の推奨度が大きいほど前記アイコンのフラッシングを激しく、及び／または前記アイコンの大きさを大きくすることで、前記報知を行う
ことを特徴とする請求項４２に記載のスポーツ競技ライブ観戦システムの観戦者端末。
【請求項４４】
前記アイコンをフラッシングすることで、及び／または前記アイコンの大きさを変化させることで、前記報知を行うことに代えて、あるいは、加えて、音声による報知及び／または振動による報知をする
ことを特徴とする請求項４２または請求項４３に記載のスポーツ競技ライブ観戦システムの観戦者端末。
【請求項４５】
前記アイコンの選択操作を受け付ける操作部を備えていると共に、前記操作部を通じて前記アイコンが選択操作されたときには、前記選択操作されたアイコンに対応する前記配信映像ストリームによる画像が前記表示画面に表示されるように構成されている
ことを特徴とする請求項３８〜請求項４４のいずれかに記載のスポーツ競技ライブ観戦システムの観戦者端末。
【請求項４６】
前記表示画面に表示される前記アイコンの数は増減可能とされている
ことを特徴とする請求項４０〜請求項４５のいずれかに記載のスポーツ競技ライブ観戦システムの観戦者端末。
【請求項４７】
前記表示画面に表示される前記アイコンの数は固定であり、前記登録された前記撮影位置及び／または前記競技のパフォーマンスを行う選手の前記アイコンは、前記表示画面において、入れ替え表示が可能とされている
ことを特徴とする請求項４０〜請求項４５のいずれかに記載のスポーツ競技ライブ観戦システムの観戦者端末。
【請求項４８】
前記競技のパフォーマンスが行われる場所のレイアウト図を表示画面に表示すると共に、前記推奨場面がどの位置かを報知する手段を備える
ことを特徴とする請求項３８〜請求項４７のいずれかに記載のスポーツ競技ライブ観戦システムの観戦者端末。
【請求項４９】
前記競技は、予選と決勝とを有するものであり、
前記登録手段は、前記決勝に進出する選手の情報を取得して、前記決勝に進出する前記選手について登録を受けるようにする
ことを特徴とする請求項３８〜請求項４８のいずれかに記載のスポーツ競技ライブ観戦システムの観戦者端末。
【請求項５０】
前記競技においてプレーオフが行われる場合に、前記プレーオフに参加する選手を前記カメラが追従するようにして、前記配信映像ストリームを配信する
ことを特徴とする請求項３８〜請求項４９のいずれかに記載のスポーツ競技ライブ観戦システムの観戦者端末。
【請求項５１】
前記登録手段は、前記競技に参加している前記選手の順位表の情報を取得して、前記取得した順位表の情報に基づいて前記選手について登録を受けるようにする
ことを特徴とする請求項３８〜請求項５０いずれかに記載のスポーツ競技ライブ観戦システム。
【請求項５２】
前記配信映像ストリームの前記推奨場面通知情報には、前記競技のパフォーマンスを行う前記選手の順位を示す情報が付加されていると共に、
前記登録手段で登録される前記選手の情報は、前記順位である
ことを特徴とする請求項３８〜請求項５１のいずれかに記載のスポーツ競技ライブ観戦システムの観戦者端末。
【請求項５３】
前記配信映像ストリームの前記推奨場面通知情報には、前記競技において複数の選手からなる組の情報が付加されていると共に、
前記登録手段で登録される前記選手の情報は、前記組の情報である
ことを特徴とする請求項３８〜請求項５２のいずれかに記載のスポーツ競技ライブ観戦システムの観戦者端末。
【請求項５４】
前記登録手段により受け付けられた、前記観戦者が観視を希望する撮影位置及び／または前記競技のパフォーマンスを行う選手の登録には、優先順位が付けられており、
前記推奨場面通知情報が、複数の前記観戦者が観視を希望する撮影位置及び／または前記競技のパフォーマンスを行う選手について重なった時に、前記優先順位に従って前記観戦者に対する前記報知がなされる
ことを特徴とする請求項３８〜請求項５３のいずれかに記載のスポーツ競技ライブ観戦システムの観戦者端末。
【請求項５５】
前記登録手段は、前記観戦者が観視を希望する撮影位置と、前記競技のパフォーマンスを行う選手とをペアとする登録を受け付ける
ことを特徴とする請求項３８〜請求項５４のいずれかに記載のスポーツ競技ライブ観戦システムの観戦者端末。
【請求項５６】
携帯端末からなる
ことを特徴とする請求項３８〜請求項５５のいずれかに記載のスポーツ競技ライブ観戦システムの観戦者端末。
【請求項５７】
撮影した映像の映像ストリームを無線送信する複数のカメラと、
前記複数のカメラから無線送信されてくる前記映像ストリームを収集する収集部と、前記収集した前記映像ストリームに基づく配信映像ストリームの複数個を放送信号として配信する配信部とを備え、前記収集した前記複数のカメラからの前記映像ストリームのそれぞれの画像内容に基づいて、前記観戦者による観視を推奨する前記選手による前記競技のパフォーマンスの推奨場面を、当該推奨場面の開始前に通知するための推奨場面通知情報を生成し、前記推奨場面通知情報を前記配信映像ストリームのそれぞれに付加するようにすると共に、前記推奨場面の撮影位置の情報及び／または前記推奨場面で前記競技のパフォーマンスを行う選手を特定するための情報を、前記推奨場面通知情報に対応付けて付加するようにする映像収集配信設備装置と、
複数の選手が同時並行的に異なる位置において競技のパフォーマンスを行うスポーツ競技の観戦者が観視するための表示画面を備える観戦者端末と、
を備えるスポーツ競技ライブ観戦システムの前記観戦者端末が備えるコンピュータを、
前記観戦者が観視を希望する撮影位置及び／または前記競技のパフォーマンスを行う選手の前記観戦者による登録を受け付けて登録情報記憶部に記憶する登録手段、
前記映像収集配信設備装置からの放送信号を受信する手段、
前記受信した放送信号の前記配信映像ストリームを前記表示画面に表示する手段、
前記受信した放送信号の前記配信映像ストリームに含まれる前記推奨場面通知情報を検出すると共に、前記検出した前記推奨場面通知情報に対応付けられている前記撮影位置の情報及び／または前記選手を特定するための情報と、前記登録情報記憶部に記憶されている前記撮影位置の情報及び／または前記競技のパフォーマンスを行う選手とが合致する前記配信映像ストリームを検出し、前記合致する前記配信映像ストリームを前記観戦者に報知する報知手段、
として機能させるための観戦者端末用のプログラム。
【発明の詳細な説明】
【技術分野】
【０００１】
この発明は、例えばゴルフ競技、体操競技、オリンピック競技などのスポーツ競技をライブで観戦する際に用いて好適なスポーツ競技ライブ観戦システムに関する。
【背景技術】
【０００２】
ゴルフ競技や体操競技などのスポーツ競技をライブ観戦する場合に、観戦者は、異なった位置にいる複数の選手のプレーや演技等のパフォーマンスを同時的に観ることは困難である。体操競技やオリンピック競技などのように複数の種目の競技が、同一競技場内で同時的に行われる場合にも、その複数の種目について選手のパフォーマンスを同時に観ることは難しい。
【０００３】
スポーツ競技ライブ観戦システムの一例として、例えば特許文献１には、複数台のテレビカメラを、例えば競技場に配置し、その複数台のテレビカメラで撮影したストリームデータを合成して、一つの合成ストリームデータを生成し、その合成ストリームデータを視聴者端末に配信することが開示されている。したがって、視聴者は、視聴者端末において、合成ストリームの中からの一つを選択して、視聴者端末で見ることで、居ながらにして、自分自身が移動して他の位置の選手のパフォーマンスを観戦しているようなライブ映像を見ることができる。
【先行技術文献】
【特許文献】
【０００４】
【特許文献１】特開２００３−１８５８３号公報
【発明の概要】
【発明が解決しようとする課題】
【０００５】
しかしながら、上述のようなスポーツ競技においては、常に選手がパフォーマンスを行っているのではなく、次のパフォーマンスを行うために移動していたり、準備をしていたりする時間もある。そのため、複数台のテレビカメラで撮影したストリームデータの中から所定のテレビカメラで撮影したストリームデータを選択的に受信して、視聴者端末に表示しても、選手がパフォーマンスをする場面ではない場合が多々生じる。他方、その選択の間に、他のテレビカメラで、選手がパフォーマンスを実行しているなどということも生じる。
【０００６】
このため、観戦者自身が観たいと欲していた選手のパフォーマンスや、観戦者自身が観たいと欲していた種目のパフォーマンスを、観戦者は見逃してしまう恐れがある。
【０００７】
この発明は、以上の点に鑑み、複数の選手が同時的に異なる位置において競技のパフォーマンスを行うスポーツ競技の観戦者が、所望する選手や種目のパフォーマンスを、見逃すことなく観ることができるようにしたスポーツ競技ライブ観戦システムを提供することを目的とする。
【課題を解決するための手段】
【０００８】
上記の課題を解決するために、請求項１の発明は、
複数の選手が同時並行的に異なる位置において競技のパフォーマンスを行うスポーツ競技のライブ観戦システムであって、
撮影した動画映像の映像ストリームを無線送信する複数のカメラと、
前記複数のカメラから無線送信されてくる前記映像ストリームを収集する収集部と、前記収集した前記映像ストリームに基づく配信映像ストリーム（００６６）の複数個を放送信号として配信する配信部とを備える映像収集配信設備装置と、
前記競技の観戦者が所持し、前記映像収集配信設備装置からの前記放送信号を受信し、前記配信映像ストリームを観視するための表示画面に表示する観戦者端末と、
を備え、
前記映像収集配信設備装置は、
前記収集した前記複数のカメラからの前記映像ストリームのそれぞれの画像内容に基づいて、前記観戦者による観視を推奨する前記選手による前記競技のパフォーマンスの推奨場面を、当該推奨場面の開始前に通知するための推奨場面通知情報を生成し、前記推奨場面通知情報を前記配信映像ストリームのそれぞれに付加するようにすると共に、前記推奨場面の撮影位置の情報及び／または前記推奨場面で前記競技のパフォーマンスを行う選手を特定するための情報を、前記推奨場面通知情報に対応付けて付加し、
前記観戦者端末は、
前記観戦者が観視を希望する撮影位置及び／または前記競技のパフォーマンスを行う選手の前記観戦者による登録を受け付けて登録情報記憶部に記憶する登録手段と、
前記受信した放送信号の前記配信映像ストリームに含まれる前記推奨場面通知情報を検出すると共に、前記検出した前記推奨場面通知情報に対応付けられている前記撮影位置の情報及び／または前記選手を特定するための情報と、前記登録情報記憶部に記憶されている前記撮影位置の情報及び／または前記競技のパフォーマンスを行う選手とが合致する前記配信映像ストリームを検出し、前記合致する前記配信映像ストリームを前記観戦者に報知する報知手段と
を備えることを特徴とするスポーツ競技ライブ観戦システムを提供する。
【０００９】
上述の構成の請求項１の発明によれば、映像収集配信設備装置は、収集部で収集した、複数のカメラからの映像ストリームのそれぞれの画像内容に基づいて、観戦者による観視を推奨する推奨場面を通知するための推奨場面通知情報を生成し、生成した推奨場面通知情報を、放送する映像ストリームのそれぞれに付加するようにすると共に、推奨場面の撮影位置の情報及び／または推奨場面で競技のパフォーマンスを行う選手を特定するための情報を、推奨場面通知情報に対応付けて付加する。
【００１０】
一方、観戦者端末は、観戦者が観視を希望する撮影位置及び／または競技のパフォーマンスを行う選手の観戦者による登録を受け付けて登録情報記憶部に記憶する登録手段を備える。そして、観戦者端末の報知手段は、受信した放送信号の配信映像ストリームに含まれる推奨場面通知情報を検出すると共に、検出した推奨場面通知情報に対応付けられている撮影位置の情報及び／または選手を特定するための情報と、登録情報記憶部に記憶されている撮影位置の情報及び／または競技のパフォーマンスを行う選手とが合致する配信映像ストリームを検出し、合致する前記配信映像ストリームを観戦者に報知する。
【００１１】
したがって、観戦者は、観視を希望する撮影位置及び／または選手について、当該選手がパフォーマンスを開始する場面が近づいた配信映像ストリームを検知することができるので、観戦者端末において、その配信映像ストリームを選択して表示画面に表示させるようにすることができ、当該パフォーマンスを見逃すことがない。
【発明の効果】
【００１２】
この発明によるスポーツ競技ライブ観戦システムによれば、複数の選手が同時的に異なる位置において競技のパフォーマンスを行うスポーツ競技の観戦者が、所望する選手や種目のパフォーマンスを、見逃すことなく観ることができる。
【図面の簡単な説明】
【００１３】
【図１】この発明によるスポーツ競技ライブ観戦システムの実施形態の概要を説明するための図である。
【図２】この発明によるスポーツ競技ライブ観戦システムの実施形態を構成するカメラの構成例を示すブロック図である。
【図３】この発明によるスポーツ競技ライブ観戦システムの実施形態を構成する映像収集配信設備装置の収集装置部の構成例を示すブロック図である。
【図４】この発明によるスポーツ競技ライブ観戦システムの実施形態を構成する映像収集配信設備装置の配信装置部の構成例を示すブロック図である。
【図５】この発明によるスポーツ競技ライブ観戦システムの実施形態において配信される映像ストリームの例を説明するための図である。
【図６】この発明によるスポーツ競技ライブ観戦システムの実施形態を構成する観戦者端末の構成例を示すブロック図である。
【図７】この発明によるスポーツ競技ライブ観戦システムの実施形態を構成する観戦者端末の表示画面上の表示例を示す図である。
【図８】この発明によるスポーツ競技ライブ観戦システムの実施形態を構成する観戦者端末の構成例を説明するために用いる図である。
【図９】この発明によるスポーツ競技ライブ観戦システムの実施形態を構成する観戦者端末の構成例を説明するために用いる図である。
【図１０】この発明によるスポーツ競技ライブ観戦システムの実施形態を構成する観戦者端末における処理動作の流れの例を説明するフローチャートの一部を示す図である。
【図１１】この発明によるスポーツ競技ライブ観戦システムの実施形態を構成する観戦者端末における処理動作の流れの例を説明するフローチャートの一部を示す図である。
【図１２】この発明によるスポーツ競技ライブ観戦システムの他の実施形態の概要を説明するための図である。
【発明を実施するための形態】
【００１４】
以下、この発明によるスポーツ競技ライブ観戦システムの実施形態を、図を参照しながら説明する。以下に説明するシステムは、ゴルフ競技を観戦するシステムの場合に、この発明を適用した例である。
【００１５】
図１は、この実施形態のスポーツ競技ライブ観戦システムの概要を説明するための図である。図１の中央に示されるのは、ゴルフ競技が開催されるゴルフ場のゴルフコースの例の全体を示すもので、この例では、１８ホールからなる。各ホールに付与されている数字は、ホール番号を示している。
【００１６】
観戦者としては、パフォーマンス（この例のゴルフ競技の場合にはゴルフプレー。以下プレーと記載する）を観てみたい選手に付いて、各ホールを回る人や、特定のホールに留まって、当該ホールにおける複数の選手のプレーを観る人もいる。前者の場合、観戦者は、観てみたい選手が複数人存在する場合に、従来は、当該複数の選手と同じ組で一緒にプレーする場合以外には、当該複数の選手のプレーを、ライブで観ることができなかった。また、後者の場合には、観戦者は、従来は、特定のホールでの選手のプレーしか観ることができず、他のホールにおける選手のプレーのライブ観戦は、諦めるしかなかった。
【００１７】
また、例えばプロゴルフ競技の場合、通常、図１に示すように、１８番ホール（最終ホール）のグリーンの周囲の適宜の位置には、観戦者用の観覧席ＳＴが設けられており、図１において、当該観覧席ＳＴの拡大図に示すように、観戦者が座って観戦できるようにされている。この観覧席ＳＴに着席する観戦者は、各ホールを選手に付いて回るのではなく、選手が当該最終ホールのグリーンに到着してプレーをするのを待つ。したがって、観覧席ＳＴに着席する観戦者は、従来は、最終ホールのプレーは楽しめるものの、当該最終ホールまでの他のホールにおける選手のプレーを観ることは諦めることが多かった。
【００１８】
また、ゴルフ競技の観戦者の多くは、全ての選手のプレーを観たいのではなく、自分が贔屓にしている選手やファンになっている選手、また目当ての選手のプレーを中心に観たいということが多い。ただし、観戦者は、選手が移動中の姿等を特に観たいという要求は低く、選手が行うティーショット、セカンドショット、アプローチショット、バンカーショット、パッティングなどのプレーを観ることができればよいことが多い。また、観戦者は、自分が現在居る位置以外の特定のホールのプレーは、贔屓やファンの選手、目当ての選手のみではなく、全ての選手あるいは多くの選手のプレーを観戦してみたいという場合もある。特定のホールは、例えば、選手の名前やプロフィールの紹介がある１番ホール（スタートホール）や、観戦するゴルフコースの名物ホールや難ホールである。
【００１９】
以下に説明する実施形態は、上記のような要求をも満足することができるように考慮している。すなわち、この実施形態では、上記のような、従来はできない、あるいは諦めるしかなかった選手のプレーを、的確に、ライブ観視することができるようにしている。
【００２０】
この実施形態のスポーツ競技ライブ観戦システムは、複数台のカメラ１０と、映像収集配信設備装置２０と、複数台の観戦者端末３０とからなる。
【００２１】
この実施形態では、カメラ１０は、１番ホールから１８番ホールの各ホールの適宜の位置において選手のプレーを動画として撮影するように、複数台が配置される。カメラ１０は、例えば、各ホールにおいて、ティーグランド、セカンドショット地点、グリーン近傍、の３か所に配置される。図１では、４番ホールのグリーン近傍、８番ホールのグリーン近傍、１４番ホールのティーグランド、に配置されたカメラ１０のみを示し、その他のカメラ１０の図示は省略してある。なお、カメラ１０は固定的に設置されていてもよいし、撮影者が、カメラ１０を持って、配置位置近傍において移動しながら撮影するようにしても勿論よい。
【００２２】
なお、カメラ１０の配置箇所や台数は、これに限定されるものではなく、例えばバンカーの周辺に配置してもよい。また、同じティーグランドに配置する場合でも、選手に対して正対する方向、打球線方向に沿った選手の後方など複数箇所に配置してもよい。選手に対して正対する方向からの撮影は、選手のスウィングがよく見えるため、選手のスウィングや表情を観たい場合に好適である。選手の後方からの撮影は、選手のスウィングはもちろん、球筋、落下点が見やすく、じっくり観ることができるという長所がある。
【００２３】
また、カメラ１０は同じ種類のものを配置してもよいし、異なる種類のものを配置してもよい。例えば、ティーグランドに配置されたカメラ１０は遠距離のショットを追うために、望遠性能のすぐれたカメラとし、グリーン近傍に配置されたカメラ１０はカップインの瞬間を捉えるために、ズーム機能の充実したカメラとすることができる。
【００２４】
カメラ１０のそれぞれは、選手のプレーを動画として撮影し、その撮影した動画の映像ストリームを、映像収集配信設備装置２０に向けて無線送信する機能を有する。無線送信する映像ストリームには、カメラ１０の識別情報と、それぞれのカメラの撮影位置を特定するための情報（以下、撮影位置情報）が付加されている。
【００２５】
映像収集配信設備装置２０は、この実施形態では、ゴルフ競技が開催されるゴルフ場の適宜の位置に設けられる。映像収集配信設備装置２０は、各ホールに配置されている複数のカメラ１０から送られてくる映像ストリームを収集し、観戦者端末３０に配信する。この実施形態では、映像収集配信設備装置２０は、収集装置部２１と、配信装置部２２とにより構成されている。なお、映像収集配信設備装置２０は、この例のように収集装置部２１と配信装置部２２とに分離せずに、一つの装置として構成しても勿論よい。
【００２６】
収集装置部２１は、各ホールに配置されている複数のカメラ１０から送られてくる映像ストリームを収集する。収集装置部２１は、その収集した映像ストリームのそれぞれに、いずれの撮影位置のカメラ１０からの映像ストリームであるかを示す撮影位置情報と、カメラ識別情報とを付加して、配信装置部２２に転送する。同じ撮影位置に複数台のカメラ１０が配置される場合も考慮して、収集装置部２１からは、カメラ１０のそれぞれを識別するためのカメラ識別情報も、撮影位置情報に加えて付加されて、配信装置部２２に転送されるものである。同じ撮影位置に１台のカメラしか存在しない場合には、収集装置部２１から配信装置部２２には、撮影位置情報を送るだけで、カメラ識別情報の転送は省略してもよい。
【００２７】
また、この実施形態では、収集装置部２１は、収集した映像ストリームのそれぞれについて、画像認識を行うことで、当該映像ストリームの当該時点において撮影されている選手を認識する。そして、配信装置部２２は、その認識した選手を特定するための情報（選手特定情報）を、配信装置部２２に転送する映像ストリームのそれぞれに付加するようにする。
【００２８】
また、収集装置部２１では、収集した映像ストリームのそれぞれの画像内容に基づいて、観戦者による観視を推奨する場面を予測して検出し、当該場面を、その開始前に観戦者に通知するための推奨場面通知情報を生成する。そして、収集装置部２１は、その生成した推奨場面通知情報を、映像ストリームのそれぞれに、前述したように、推奨する場面の開始前のタイミング時点において付加するようにする。ここで、観戦者による観視を推奨する場面とは、この例のゴルフ競技の場合には、選手がティーショットを打つ、セカンドショットを打つ、パッティングをするなどのプレーを実行する場面である。
【００２９】
配信装置部２２は、収集装置部２１から転送されてくる映像ストリーム及び、当該映像ストリームに付加されている撮影位置情報、選手特定情報、推奨場面通知情報を受けて、これらに基づいて、配信する映像ストリームを生成して、観戦者端末３０に対して、放送信号形式で、送信するようにする。
【００３０】
観戦者端末３０は、当該ゴルフ競技の観戦チケットを有する観戦者に、有償で、あるいは無償で貸与される専用端末とされる。専用端末はタブレット型端末でもよいし、折り畳めるタイプの端末でもよい。あるいは、観戦者端末３０の機能を実現するアプリケーションソフトウエアプログラムを、事前に、インターネットなどを通じて、有償または無償で、当該ゴルフ競技の観戦チケットを有する観戦者のスマートフォンやタブレットなどの携帯端末にダウンロードすることで、観戦者自身が所有するスマートフォンやタブレットなどの携帯端末を観戦者端末３０とすることもできる。専用端末の場合には、観戦者端末３０は、ヘッドマウント型ディスプレイや眼鏡型ディスプレイの構成のものであってもよい。
【００３１】
この観戦者端末３０は、配信装置部２２から放送により配信された複数の映像ストリームを受信し、利用者（この例では観戦者。以下、観戦者または利用者と記載する）の選択操作に応じて、そのうちの一つの映像ストリームを表示画面に表示することができる。
【００３２】
ここで、配信装置部２２からの、観戦者端末３０への映像ストリーム配信（放送）方式としては、この実施形態では、Ｗｉ−Ｆｉ（登録商標）を用いたマルチキャストによるＷｉ−Ｆｉ（登録商標）利用放送を用いる（http://www.isid.co.jp/news/2012/0216.html参照）。観戦者端末３０では、各映像ストリームのパケットのヘッダ部に含まれる撮影位置情報に応じた識別情報（映像ストリームＩＤ）に基づいて、複数の映像ストリームの中から、所望の映像ストリームの選択をすることができる。なお、アクセスポイントは、各ホール毎に複数個配設するようにする。
【００３３】
そして、特に、この実施形態では、観戦者端末３０は、放送信号として受信する複数個の全ての映像ストリームについて、付加されている推奨場面通知情報を監視する機能を有する。そして、推奨場面通知情報を検出したときには、その推奨場面通知情報が検出された映像ストリームが、利用者が選択中の映像ストリームではないときには、検出された推奨場面通知情報が付加されていた映像ストリームを、利用者に報知するようにする。
【００３４】
したがって、利用者は、この推奨場面の報知により、いずれかの選手がプレーを開始する映像ストリームを事前に知って、その映像ストリームを選択することで、当該選手のプレーを見逃すことなく観視することができる。
【００３５】
この場合に、観戦者端末３０では、推奨場面通知情報が検出された映像ストリームの撮影位置情報から、いずれのホールのいずれの位置であるかを知ることができると共に、推奨場面通知情報が検出された映像ストリームに付加されている選手特定情報から、いずれの選手についての映像ストリームであるかも知ることができるので、前記撮影位置情報及び選手特定情報を、表示画面を通じて利用者に通知することができる。したがって、利用者は、この表示画面の撮影位置情報や選手特定情報から、推奨場面通知情報により、推奨された場面の到来の通知を受けても、自分が観視を希望する位置や選手であるかを認識することができて、それに基づいて、実際に映像ストリームを選択するかどうかを決定することができる。
【００３６】
以上の場合は、観戦者端末３０において、全てのカメラ撮影位置における全ての選手に付いての推奨場面通知情報の検出がなされ、その検出結果に基づいて、当該推奨場面の開始予告の報知がなされることになる。したがって、出場選手が多数の場合に、頻繁に推奨場面の開始予告の報知がなされることになる。
【００３７】
前述したように、ゴルフ競技の観戦者の多くは、全ての選手のプレーを観たいのではなく、自分が贔屓にしている選手やファンになっている選手、また目当ての選手のプレーを中心に観たいということが多い。また、観戦者は、自分が現在居る位置以外の特定のホールのプレーは、贔屓やファンの選手、目当ての選手のみではなく、全ての選手あるいは多くの選手のプレーを観戦してみたいという場合もある。
【００３８】
このことに鑑み、この実施形態では、観戦者端末３０においては、利用者による推奨場面通知情報を検出する対象の選手の登録及び推奨場面通知情報を検出する対象のホールなどの撮影位置の登録を受け付ける機能を設けている。そして、観戦者端末３０は、利用者が登録した選手のプレーに限定された推奨場面の開始予告の報知を受けることができるようにする機能を備えると共に、登録した撮影位置については全ての選手のプレーについての推奨場面の開始予告の報知を受けることができるようにする機能を備えるように構成されている。
【００３９】
次に、カメラ１０、映像収集配信設備装置２０及び観戦者端末３０の、より詳細な構成例について説明する。
【００４０】
［カメラ１０の構成例］
図２は、この実施形態におけるカメラ１０の構成例を示すブロック図である。すなわち、カメラ１０は、図２に示すように、制御部１０１に対して、システムバス１００を通じて、撮影部１０２、送信信号生成部１０３、送信部１０４、撮影位置情報発生部１０５、操作部１０６、のそれぞれが接続されて構成されている。
【００４１】
制御部１０１は、マイクロコンピュータ（図示せず）を備えて構成されており、カメラ１０の全体の動作を、内蔵するメモリに記憶されているプログラムにより制御する。
【００４２】
撮影部１０２は、選手のプレーを動画として撮影するもので、望遠機能やズーム機能等を備える。操作部１０６は、撮影者の操作入力に応じて、撮影部１０２による動画の撮影の開始や終了の操作指示、望遠指示やズーム指示等を行う。制御部１０１は、この操作部１０６での撮影者の操作指示に応じて撮影部１０２を制御する。なお、各種操作指示は、撮影者ではなく、カメラが選手やゴルフボールなど外界を認識して、全自動ですることも可能である。撮影部１０２で撮影された動画の情報は送信信号生成部１０３に供給される。
【００４３】
撮影位置情報発生部１０５は、この例では、例えばＧＰＳ（Global  Positioning  System）測位手段を用いて現在位置を検出し、検出した現在位置情報を、送信信号生成部１０３に供給する。
【００４４】
送信信号生成部１０３は、撮影部１０２からの動画の映像ストリームに、撮影位置情報発生部１０５からの現在位置情報と、カメラ１０の自機のカメラ識別情報を付加した送信情報を生成する。カメラ識別情報は、この例では、制御部１０１が内蔵するメモリ（図示は省略）に記憶されており、制御部１０１から送信部１０４に供給される。送信信号生成部１０３は、生成した送信情報を送信部１０４に供給する。
【００４５】
送信部１０４は、この例では、Ｗｉ−Ｆｉ（登録商標）を用いる無線ＬＡＮの無線通信器の構成であり、宛先を映像収集配信設備装置２０にして、送信情報を、無線送信する。なお、カメラ１０から映像収集配信設備装置２０への無線送信は、この例のような無線ＬＡＮの構成とする場合に限られるものではなく、カメラ１０から送信情報を映像収集配信設備装置２０へ無線送信することができるものであれば、どのような無線通信方式を採用してもよい。
【００４６】
なお、送信信号生成部１０３及び送信部１０４は、専用装置部の構成として、撮影部１０２、撮影位置情報発生部１０５及び操作部１０６を備えるカメラ本体部と有線または無線で接続される構成であってもよい。
【００４７】
また、送信信号生成部１０３は、制御部１０１がそのソフトウエア機能として実行する機能手段の構成としてもよい。
【００４８】
［映像収集配信設備装置２０の構成例］
［収集装置部２１の構成例］
図３は、映像収集配信設備装置２０の収集装置部２１の構成例を示すブロック図である。すなわち、この例では、収集装置部２１は、制御部２１１に対して、システムバス２１０を通じて、受信収集部２１２、撮影位置判別部２１３、選手特定情報生成部２１４、推奨場面通知情報生成部２１５、転送用カメラ映像生成部２１６、転送部２１７、のそれぞれが接続されて構成されている。選手特定情報生成部２１４には、選手顔画像記憶部２１８が接続されている。
【００４９】
制御部２１１は、マイクロコンピュータ（図示せず）を備えて構成されており、収集装置部２１の全体の動作を、内蔵するメモリに記憶されているプログラムにより制御する。
【００５０】
受信収集部２１２は、この例では、Ｗｉ−Ｆｉ（登録商標）を用いる無線ＬＡＮの無線通信器の構成であり、複数台のカメラ１０のそれぞれからの映像ストリームと、それに付加されている現在位置情報及びカメラ識別情報とを受信し、カメラ識別情報により区分けされたバッファメモリに、収集した映像ストリーム、現在位置情報及びカメラ識別情報を順次に一時記憶する。
【００５１】
撮影位置判別部２１３は、バッファメモリに一時記憶された映像ストリームに付加されている現在位置情報から、映像ストリームが何番ホールのどの位置であるかを判別する。この判別のため、撮影位置判別部２１３には、図示は省略するが、各ホールのティーグランド、セカンドショット、グリーンなどの撮影位置と、そのそれぞれに対応する位置情報範囲との対応テーブルが設けられており、撮影位置判別部２１３は、映像ストリームに付加されている現在位置情報で示されるカメラ１０の現在位置が、どの位置情報範囲内であるかを判別することで、何番ホールのどの位置であるかを判別する。そして、撮影位置判別部２１３は、判別結果の何番ホールのどの位置であるかを示す撮影位置情報を、転送用カメラ映像生成部２１６に供給する。
【００５２】
なお、カメラ１０の撮影位置情報発生部１０５は、この例では、カメラ１０が、定点的に固定的な位置に配置されるので、何番ホールのどの位置であるかを示す情報を予め登録して、その登録情報を、撮影部１０２で撮影した映像ストリームに付加するようにしてもよい。その場合には、収集装置部２１の撮影位置判別部２１３では、その情報を検出することで何番ホールのどの位置のカメラ１０からの映像ストリームであることを判別することができる。あるいは、撮影位置判別部２１３の代わりに、映像ストリームに付加された何番ホールのどの位置のカメラ１０かの情報を、撮影位置ＩＤに置き換える手段を設けるようにしてもよい。
【００５３】
選手特定情報生成部２１４は、この例では、顔画像認識機能を有する。そして、選手顔画像記憶部２１８には、予め、当該ゴルフ競技に参加している選手の顔画像と、その選手名とが対応付けられて登録されて記憶されている。この場合に、選手顔画像記憶部２１８には、当該ゴルフ競技に参加している全ての選手の顔画像と、その選手名とを登録しておいてもよいし、全ての選手の中から選択した複数の選手の顔画像と、その選手名とを登録しておいてもよい。
【００５４】
選手特定情報生成部２１４は、受信収集部２１２のバッファメモリに一時記憶された映像ストリームの映像情報について、選手顔画像記憶部２１８に記憶されている選手の顔画像を用いた顔画像認識を行い、当該映像ストリーム中に登場する選手を認識し、その認識結果として選手名の情報を選手顔画像記憶部２１８から得て、その選手名の情報を転送用カメラ映像生成部２１６に供給する。なお、ゴルフ競技では、同一の組で、複数の選手がプレーするので、選手特定情報生成部２１４では、複数人の選手が同時に認識される場合もある。
【００５５】
推奨場面通知情報生成部２１５は、この例では、画像認識機能を有し、受信収集部２１２のバッファメモリに一時記憶された映像ストリームの画像内容について画像認識を行うことで、観戦者による観視を推奨する場面を予測して検出する。観戦者による観視を推奨する場面としては、例えば、ティーショット、セカンドショット、アプローチショット、バンカーショット、パッティングなどの、選手のプレーに入る準備からプレーを経てプレー終了に至る場面であり、推奨場面通知情報生成部２１５は、その場面を、その開始に先立ち、予測して検出する。
【００５６】
そして、推奨場面通知情報生成部２１５は、この実施形態においては、上記の推奨場面の予測検出は、
・選手がティーグランドに登場したこと、
・フェアウエイまたはラフを歩いていた選手が所定時間以上止まったこと、
・選手がパッティンググリーン上に登場したこと、
・選手がバンカー内に入ろうとしていること、
などの選手の挙動や状況を、画像認識により自動認識することにより行う。
【００５７】
そして、推奨場面通知情報生成部２１５は、この実施形態では、推奨場面通知情報として推奨フラグを用いる。そして、推奨場面通知情報生成部２１５は、上記の選手の挙動や状況を認識したときには、この実施形態では、その認識時点から、選手のプレーが終了するまでの間、推奨フラグを例えば「１」とし、その他の期間では推奨フラグを「０」にしておくようにする。推奨場面通知情報生成部２１５は、生成した推奨フラグを、転送用カメラ映像生成部２１６に供給する。
【００５８】
転送用カメラ映像生成部２１６は、受信収集部２１２からの映像ストリームに、撮影位置判別部２１３からの何番ホールのどの位置であるかを示す撮影位置情報と、選手特定情報生成部２１４からの選手名の情報と、推奨場面通知情報生成部２１５からの推奨場面通知情報の例としての推奨フラグとを付加して、転送用カメラ映像ストリーム情報を生成する。この場合に、転送用カメラ映像生成部２１６では、撮影位置情報は、映像ストリームの全体に亘って同じものが付加されるが、選手名の情報は、同一の選手名の場合、当該選手が選手特定情報生成部２１４で認識されている期間だけ、映像ストリームの対応期間において付加される。
【００５９】
転送用カメラ映像生成部２１６は、以上のようにして生成した転送用カメラ映像ストリーム情報を、転送部２１７に供給する。転送部２１７は、受け取った転送用カメラ映像ストリーム情報を、配信装置部２２に転送する。この場合の転送は、収集装置部２１と配信装置部２２とが有線で接続されている場合には、その接続ケーブルを通じて行われ、収集装置部２１と配信装置部２２とが無線で接続されている場合には、無線通信により行われる。
【００６０】
なお、上述の説明では、推奨場面通知情報生成部２１５では、画像認識により、推奨場面の予測検出を自動認識により行うようにしたが、撮影者やオペレータによる、映像ストリーム中の推奨場面が予測される時点でのキュー（マーキング）操作などの所定の操作に基づいて、推奨フラグを「１」とするようにしてもよい。
【００６１】
すなわち、例えばカメラ１０の撮影者が、撮影中に、推奨場面の開始が予測される時点で、開始キュー操作をすると共に、推奨場面が終了した時点で終了キュー操作をすることで、当該開始キュー操作に基づく開始キュー情報及び終了キュー操作に基づく終了キュー情報を、映像ストリームに付加して、映像収集配信設備装置２０に送信するようにする。その場合には、映像収集配信設備装置２０の収集装置部２１では、映像ストリームに付加されている開始キュー情報の時点から推奨フラグを「１」として、終了キュー情報の時点で推奨フラグを「０」にして、配信装置部２２に転送するようにする。
【００６２】
また、収集装置部２１で、オペレータが収集した映像ストリームのモニター画像を監視し、推奨場面が予測される時点で、開始キュー操作及び終了キュー操作をするようにしてもよい。その場合には、推奨場面通知情報生成部２１５は、オペレータからの開始キュー操作を受けたことを検知した時点に対応して、推奨フラグを「１」にし、終了キュー操作を受けたことを検知した時点に対応して、推奨フラグを「０」に戻すようにする。
【００６３】
また、撮影位置判別部２１３、選手特定情報生成部２１４、推奨場面通知情報生成部２１５、転送用カメラ映像生成部２１６の各処理は、制御部２１１が、そのソフトウエア機能として実行する機能処理手段としてもよい。
【００６４】
［配信装置部２２の構成例］
図４は、映像収集配信設備装置２０の配信装置部２２の構成例を示すブロック図である。すなわち、この例では、配信装置部２２は、制御部２２１に対して、システムバス２２０を通じて、転送受付部２２２、配信映像ストリーム生成部２２３、映像配信実行部２２４、のそれぞれが接続されて構成されている。
【００６５】
制御部２２１は、マイクロコンピュータ（図示せず）を備えて構成されており、配信装置部２２の全体の動作を、内蔵するメモリに記憶されているプログラムにより制御する。
【００６６】
転送受付部２２２は、収集装置部２１から転送されてくる転送用映像ストリーム情報を受け付けて、配信映像ストリーム生成部２２３に供給する。
【００６７】
配信映像ストリーム生成部２２３は、転送用映像ストリーム情報から、配信映像ストリームを生成する。図５は、配信映像ストリームの時間の経過に沿ったイメージ図である。このイメージ図に示すように、配信映像ストリームは、この実施形態では、複数台のカメラ１０のそれぞれ毎に対応する第１、第２、第３、・・・の映像ストリームからなるものとされている。すなわち、第１映像ストリームは、１番ホール（Ｎｏ．１ホール）のティーグランドの選手を撮影するカメラの映像ストリームとされ、そのことを示す撮影位置ＩＤ（識別情報）が付加されると共に、選手ＩＤ及び推奨フラグが付加される。また、第２映像ストリームは、１番ホール（Ｎｏ．１ホール）のセカンドショット地点の選手を撮影するカメラの映像ストリームとされ、そのことを示す撮影位置ＩＤ（識別情報）が付加されると共に、選手ＩＤ及び推奨フラグが付加される。なお、前述したように、カメラ１０が同じティーグランドに、選手に対して正対する方向、選手の後方など複数箇所に配置される場合は、その情報も併せて付加される。その場合、第１映像ストリームは、複数の映像ストリームとなり、１番ホール（Ｎｏ．１ホール）のティーグランドの選手に正対して撮影するカメラの映像ストリーム、選手の後方から撮影するカメラの映像ストリームなどとされ、複数箇所の位置（選手に正対、選手の後方など）を識別するための情報が、撮影位置ＩＤ（識別情報）に付加される。
【００６８】
選手ＩＤは、時間の経過と共に変更されるものであり、図５の例の第１映像ストリームは、選手Ａがカメラ１０で撮影されていた状態から、選手Ｂが当該カメラ１０で撮影されている状態に遷移していることを示し、その間には、選手はだれも登場していない待ち状態であることを示している。そして、推奨フラグは、選手Ａ、選手Ｂがそれぞれプレーを行うことを予告する時点から、前記選手Ａ、選手Ｂがそれぞれのプレーを終了した時点まで「１」になっている。また、第２映像ストリームは、選手Ｃがカメラ１０で撮影されていた状態から、選手Ｄが当該カメラ１０で撮影されている状態に遷移していることを示し、その間には、選手はだれも登場していない待ち状態であることを示している。そして、推奨フラグは、選手Ｃ、選手Ｄがそれぞれプレーを行うことを予告する時点から、前記選手Ｃ、選手Ｄがそれぞれのプレーを終了した時点まで「１」になっている。
【００６９】
映像配信実行部２２４は、図５のイメージ図の複数個の映像ストリームの配信を実行する。この場合に、映像配信実行部２２４は、前述したように、この実施形態では、マルチキャストによるＷｉ−Ｆｉ（登録商標）利用放送を用いており、各映像ストリームのデータはパケット化されて配信される。そして、撮影位置ＩＤ、選手ＩＤ、推奨フラグは、各パケットのヘッダ部または付加情報部に配置されて送信される。もちろん、ヘッダ部と付加情報部の両方に配置してもよい。
【００７０】
なお、複数個の映像ストリームの伝送のためには、配信のために複数の搬送周波数が利用可能であれば、それが利用されると共に、各搬送周波数に複数の映像ストリームを伝送する必要があるときには、ＴＤＭＡ（Time Division Multiple Access）方式でそれぞれのパケットが伝送される。
【００７１】
なお、転送受付部２２２、配信映像ストリーム生成部２２３及び映像配信実行部２２４の上述した処理動作は、アンテナなどの機構部分を除き、制御部２２１が、そのソフトウエア機能として実行する機能処理手段としてもよい。
【００７２】
［観戦者端末３０の構成例］
図６は、観戦者端末３０の構成例を示すブロック図である。すなわち、この例では、観戦者端末３０は、制御部３０１に対して、システムバス３００を通じて、放送受信部３０２、表示映像選択部３０３、表示画像生成部３０４、表示部３０５、操作部３０６、推奨フラグ検出部３０７、設定登録メニュー情報記憶部３０８、サムネイル画像記憶部３０９、登録情報記憶部３１０、対応テーブル情報記憶部３１１、のそれぞれが接続されて構成されている。
【００７３】
制御部３０１は、マイクロコンピュータ（図示せず）を備えて構成されており、観戦者端末３０の全体の動作を、内蔵するメモリに記憶されているプログラムにより制御する。
【００７４】
放送受信部３０２は、配信装置部２２から送信された映像ストリームの配信情報のパケットを受信し、表示映像選択部３０３に供給すると共に、推奨フラグ検出部３０７に供給する。
【００７５】
表示映像選択部３０３は、後述する操作部３０６を通じて利用者の選択操作に応じた一つの映像ストリームを、放送受信部３０２で受信された放送信号から選択して、表示画像生成部３０４に転送する。
【００７６】
表示画像生成部３０４は、表示映像選択部３０３から受け取った映像ストリームの動画映像情報を復元し、表示部３０５に表示画像として送る。観戦者端末３０は、この例では、タブレット型端末であり、表示部３０５は、例えばＬＣＤ（Liquid  Crystal  Display；液晶ディスプレイ）からなり、その表示画面３０５Ｄに表示画像生成部３０４から受け取った動画映像情報を表示する（図７参照）。
【００７７】
また、表示画像生成部３０４は、表示画面３０５Ｄに表示されている動画映像情報が、いずれの撮影位置のものであるか、また、いずれの選手の画像であるかを示す画像説明表示３２１を生成して、表示画面３０５Ｄに表示するようにする。この画像説明表示３２１は、次のようにしてなされる。
【００７８】
すなわち、対応テーブル情報記憶部３１１には、図８（Ａ）に示すような撮影位置ＩＤと撮影位置名称との対応テーブル情報と、図８（Ｂ）に示すような選手ＩＤと選手名との対応テーブル情報とが記憶されている。表示画像生成部３０４は、表示映像選択部３０３から受け取った映像ストリームの撮影位置ＩＤにより、図８（Ａ）の対応テーブルを参照し、その撮影位置ＩＤに対応する撮影位置名称を取得して、その表示情報を生成する。同様に、表示画像生成部３０４は、表示映像選択部３０３から受け取った映像ストリームの選手ＩＤにより図８（Ｂ）の対応テーブルを参照し、選手ＩＤに対応する選手名の表示情報を生成する。そして、表示画像生成部３０４は、生成した撮影位置名称及び選手名の表示情報を表示部３０５の表示画面３０５Ｄに表示する。
【００７９】
なお、前述したように、カメラ１０が同じティーグランドに、選手に正対、選手の後方などの複数箇所に配置される場合、撮影位置名称は「Ｎｏ．１  Ｔｅｅ  （選手）正対」「Ｎｏ．１  Ｔｅｅ  （選手）後方」などと呼称する。
【００８０】
また、表示画像生成部３０４は、この例では、受信する放送信号に含まれる映像ストリームのそれぞれを選択するための映像選択アイコン群３２２を生成して、図７の表示画面３０５Ｄの下方に表示する。
【００８１】
操作部３０６は、この例では、表示部３０５を構成するＬＣＤパネルに重畳して配設されているタッチパネルの構成とされている。もちろん、操作部はタッチパネルの構成に限定されるものではなく、例えば、ＬＣＤパネル近傍に取り付けられたボタンで構成されてもよいし、別体のリモコンで構成されてもよい。もちろん、映像選択アイコン群３２２の表示画面３０５Ｄ上の位置や配列、大きさなども、図７の例に限定されない。
【００８２】
利用者は、映像選択アイコン群３２２をタッチ操作することで、いずれかの撮影位置のカメラ１０の映像ストリームを選択することができる。図７の例では、１番ホール（Ｎｏ．１）から１８番ホール（Ｎｏ．１８）までのいずれかを選択するアイコンが表示されているが、そのうちの一つを選択すると、その選択したホールのティーグランド、セカンドショット位置、グリーンのいずれかを選択するためのアイコン（図示せず）が表示され、そのうちのいずれかを選択することで、一つの撮影位置を選択することができる。
【００８３】
この操作部３０６による選択操作により一つの撮影位置が選択されると、その選択された撮影位置ＩＤが表示映像選択部３０３に送られる。表示映像選択部３０３は、その選択された撮影位置ＩＤと同一の撮影位置ＩＤを含むパケットの映像ストリームを、受信した映像ストリームから選択して、表示画像生成部３０４に送る。これにより、表示画面３０５Ｄには、利用者が操作部３０６を通じて選択した撮影位置の映像ストリームが表示される。図７の例では、４番ホールのティーグランドが撮影位置として選択されているので、映像選択アイコン群３２２の内の「Ｎｏ．４」のアイコンがグレイ表示されて（図７では斜線を付してある）、非選択の状態となっていることを示している。
【００８４】
推奨フラグ検出部３０７は、映像ストリームのパケット中の推奨フラグを抽出して、抽出した推奨フラグが「１」になっているかどうかを検出する。そして、推奨フラグが「１」になっている映像ストリームに対応する映像選択アイコンを、映像選択アイコン群３２２の他の映像選択アイコンと区別可能に表示変更する。この例では、推奨フラグが「１」になっている映像ストリームに対応する映像選択アイコンを、表示画面３０５Ｄにおいて、フラッシングするようにする。図７の例では、「Ｎｏ．１８」のアイコンがフラッシングされて、１８番ホールのどこかで、いずれかの選手がプレーを開始することが予告される。
【００８５】
この状態で、フラッシングされている「Ｎｏ．１８」のアイコンが利用者により、操作部３０６を通じて選択操作されると、制御部３０１は、「１」となっていることが検出された推奨フラグが付加されている映像ストリームの撮影位置ＩＤを、推奨フラグ検出部３０７から取得して、表示映像選択部３０３に渡す。表示映像選択部３０３は、渡された撮影位置ＩＤの映像ストリームを、放送受信部３０２で受信した映像ストリーム群の中から選択し、表示画像生成部３０４に渡す。これにより、表示部３０５の表示画面３０５Ｄには、選手がプレーを開始しようとする場面を、確実に観視することができるようになる。
【００８６】
以上説明した映像選択アイコン群３２２における推奨フラグに応じた推奨場面通知においては、映像選択アイコン群３２２のアイコンのみでは、その推奨場面が、どの選手がプレーを開始しようとする場面であるかが分からない。また、この例の場合には、ホール番号は分かっても、ティーグランド、セカンドショット地点、グリーン上のいずれの撮影位置であるかはわからない。
【００８７】
しかし、前述もしたように、観戦者は、特に観たい選手、特に観たい撮影位置がある場合が多い。そこで、この実施形態の観戦者端末３０では、観戦者は、それらの特に観たい選手、特に観たい撮影位置を登録しておくことで、確実にそれら選手及び撮影位置における推奨場面通知を行うことができるように構成している。
【００８８】
すなわち、この実施形態の観戦者端末３０の設定登録メニュー情報記憶部３０８には、推奨場面通知を利用者が望む選手及び撮影位置の登録のための情報が記憶されている。まず、選手の登録について説明する。
【００８９】
設定登録メニュー情報記憶部３０８には、当該ゴルフ競技に参加している全ての選手名が、前述した選手ＩＤと対応付けられて記憶されている。そして、サムネイル画像記憶部３０９には、選手ＩＤと対応付けられて、選手の小画像（例えば顔画像）と選手名とからなるサムネイル画像が記憶されている。また、設定登録メニュー情報記憶部３０８には、当該ゴルフ競技の会場の撮影位置の位置名が、撮影位置ＩＤと対応付けられて記憶されている。そして、サムネイル画像記憶部３０９には、撮影位置ＩＤと対応付けられて、撮影位置の位置を表象する小画像と選手名とからなるサムネイル画像が記憶されている。
【００９０】
そして、設定登録メニュー情報記憶部３０８には、利用者が操作部３０６を通じた操作により表示される選手登録及び撮影位置登録のためのメニュー情報が用意されている。
【００９１】
図９（Ａ）は、登録メニュー項目として、選手登録が選択されたときの表示画面３０５Ｄに表示される表示画像を示している。利用者は、この表示画面３０５Ｄに表示されている選手登録のためのガイドメッセージに従い、自分が観視したい選手を登録するようにする。図９（Ａ）の例では、選手名が「松○○樹」、「アダム○○」、「藤田××」のチェック欄にチェックがされているので、それらの選手が登録される。すると、登録された選手名「松○○樹」、「アダム○○」、「藤田××」に対応する選手ＩＤのそれぞれが、登録情報記憶部３１０に記憶されると共に、それら登録された選手名に対応する選手ＩＤが、サムネイル画像記憶部３０９及び推奨フラグ検出部３０７に送られる。
【００９２】
サムネイル画像記憶部３０９は、取得した選手ＩＤに対応するサムネイル画像を読み出して、表示画像生成部３０４に供給する。表示画像生成部３０４は、これにより、登録された選手のサムネイル画像を、図７に示すように、登録選手アイコン３２３Ａとして生成して、表示部３０５の表示画面３０５Ｄに表示するようにする。
【００９３】
また、図９（Ｂ）は、登録メニュー項目として、撮影位置登録が選択されたときの表示画面３０５Ｄに表示される表示画像を示している。利用者は、この表示画面３０５Ｄに表示されている撮影位置登録のためのガイドメッセージに従い、自分が観視したい撮影位置を登録するようにする。図９（Ｂ）の例では、１８番ホールのグリーンのチェック欄にチェックがされているので、それらが登録される。すると、登録された撮影位置に対応する撮影位置ＩＤが、登録情報記憶部３１０に記憶されると共に、それら登録された撮影位置に対応する撮影位置ＩＤが、サムネイル画像記憶部３０９及び推奨フラグ検出部３０７に送られる。
【００９４】
サムネイル画像記憶部３０９は、取得した撮影位置ＩＤに対応するサムネイル画像を読み出して、表示画像生成部３０４に供給する。表示画像生成部３０４は、これにより、登録された撮影位置のサムネイル画像を、図７に示すように、登録位置アイコン３２３Ｂとして生成して、表示部３０５の表示画面３０５Ｄに表示するようにする。
【００９５】
推奨フラグ検出部３０７は、登録情報記憶部３１０から、登録された選手ＩＤを受け取ると、上述の動作に加えて、映像ストリーム中の選手ＩＤが、当該登録された選手ＩＤと同一である映像ストリームの全ての推奨フラグの状態を監視し、推奨フラグが「１」となったら、登録された選手ＩＤと共に、当該選手に付いての推奨フラグが「１」になった旨を表示画像生成部３０４に通知する。
【００９６】
表示画像生成部３０４は、この通知を受けると、表示画面３０５Ｄに表示されている選手ＩＤに対応する登録選手アイコン３２３Ａを、他の登録選手アイコン３２３Ａと区別可能に表示変更する。この例では、推奨フラグが「１」になっている選手ＩＤに対応する登録選手アイコン３２３Ａを、表示画面３０５Ｄにおいて、フラッシングするようにする。図７の例では、「松○○樹」の登録選手アイコン３２３Ａがフラッシングされて、当該選手がプレーを開始することが予告される。
【００９７】
この状態で、フラッシングされている「松○○樹」の登録選手アイコン３２３Ａが利用者により、操作部３０６を通じて選択操作されると、制御部３０１は、選手ＩＤが「松○○樹」の選手ＩＤと同一であり、「１」となっている推奨フラグが付加されている映像ストリームの撮影位置ＩＤを、推奨フラグ検出部３０７から取得して、表示映像選択部３０３に渡す。表示映像選択部３０３は、渡された撮影位置ＩＤの映像ストリームを、放送受信部３０２で受信した映像ストリーム群の中から選択し、表示画像生成部３０４に渡す。これにより、表示部３０５の表示画面３０５Ｄには、登録された選手がプレーを開始しようとする場面を、確実に観視することができるようになる。
【００９８】
また、推奨フラグ検出部３０７は、登録情報記憶部３１０から、登録された撮影位置ＩＤを受け取ると、上述の全ての映像ストリームについての推奨フラグについての監視動作において、登録された撮影位置について、推奨フラグが「１」となったら、登録された撮影位置ＩＤと共に、当該撮影位置に付いての推奨フラグが「１」になった旨を表示画像生成部３０４に通知する。
【００９９】
表示画像生成部３０４は、この通知を受けると、表示画面３０５Ｄに表示されている撮影位置ＩＤに対応する登録位置アイコン３２３Ｂを、この例では、フラッシングするようにすると共に、映像選択アイコン群３２２の内の対応する映像選択アイコンをもフラッシングするようにする。したがって、利用者は、図７の例では、１８番ホールのグリーンの撮影位置の登録位置アイコン３２３Ｂがフラッシングされることから、いずれかの選手が１８番ホールのグリーンでプレーを開始することを予見することができる。
【０１００】
なお、図７の例では、表示画面３０５Ｄに上部に、登録選手アイコン３２３Ａが３個、登録位置アイコン３２３Ｂを１個、合計４個を表示しているが、アイコンの数はこれに限定されない。例えば、登録選手アイコン３２３Ａが２個、登録位置アイコン３２３Ｂを２個の合計４個を表示してもよい。また、合計数自体を３個、６個、９個など増減できる。
【０１０１】
図７の例のように、アイコン数が合計４個の場合、図９（Ａ）（Ｂ）での登録数は、４個に限定する。あるいは登録数は制限せず、入力順などでアイコンを入れ替えたり、推奨フラグが「１」となったもののみアイコン表示したりするようにしてもよい。さらにアイコンの数を固定ではなく、可変とするようにしてもよい。可変にすることで、利用者は状況に応じて、アイコンの数を変えて、ゴルフ観戦を楽しむことができる。
【０１０２】
なお、図６の観戦者端末３０のハードウエア構成において、放送受信部３０２、表示映像選択部３０３、表示画像生成部３０４、推奨フラグ検出部３０７の機能処理については、制御部３０１がそのソフトウエア機能として実行する機能処理手段としてもよい。
【０１０３】
また、上述の説明では、推奨フラグ検出部３０７における推奨フラグの監視及び検出動作は、放送信号に含まれる全ての撮影位置からの映像ストリームについて行うようにしたが、登録した選手及び登録した撮影位置の映像ストリームについてのみ行うようにしてもよい。
【０１０４】
なお、ゴルフトーナメントの場合、予選ラウンド、決勝ラウンドと３日間乃至４日間行われる。この登録は、一日ごとに行うようにしてもよいし、３日間乃至４日間通しで行えるようにしてもよい。通しで行う場合、決勝ラウンドでは、決勝ラウンド進出選手名を大会事務局が準備するサーバなどから入手し、予選落ちした選手の選手名や選手ＩＤは、抹消する。また、通しで登録できるようにしておいて、当日ごとに追加登録や削除ができるようにしてもよい。ゴルフトーナメントは、当日のスタート表により、選手のペアリング（２人乃至３人を一緒の組にする組合せ）が発表されるので、そのペアリングによって、利用者は、登録内容を変更したくなることがあるが、その場合に便利である。もちろん、同一日の中でも登録内容を変更できるようにしてもよい。
【０１０５】
［観戦者端末３０における処理動作の流れの例］
次に、以上説明した構成の観戦者端末３０における処理動作の流れの例を、図１０及び図１１のフローチャートを参照しながら説明する。また、以下のフローチャートの各ステップの処理は、制御部３０１が、放送受信部３０２、表示映像選択部３０３、表示画像生成部３０４、推奨フラグ検出部３０７の機能処理を、そのソフトウエア機能として実行する場合として説明する。
【０１０６】
制御部３０１は、まず、選手及び撮影位置についての登録情報を前述したようにして受け付けて、登録情報記憶部３１０に記憶する（ステップＳ１０１）。次に、制御部３０１は、選手及び撮影位置についての登録情報に対応した登録選手アイコン３２３Ａ及び登録位置アイコン３２３Ｂを表示画面３０５Ｄに表示する（ステップＳ１０２）。
【０１０７】
次に、制御部３０１は、利用者による映像選択アイコン群３２２の中の一つの映像選択アイコンの選択入力を受け付けて、受信した放送信号からの一つの映像ストリームの選択を受け付ける（ステップＳ１０３）。そして、制御部３０１は、受け付けた映像ストリームを再生して、メイン画像として表示画面３０５Ｄに表示する（ステップＳ１０４）。
【０１０８】
次に、制御部３０１は、表示中の映像ストリーム以外の映像ストリーム中の推奨フラグを監視する（ステップＳ１０５）。そして、制御部３０１は、「１」となっている推奨フラグを検出したか否か判別する（ステップＳ１０６）。
【０１０９】
このステップＳ１０６で、「１」となっている推奨フラグを検出したと判別したときには、制御部３０１は、映像選択アイコン群３２２の内の、当該推奨フラグが「１」となっている映像ストリームに対応する映像選択アイコンをフラッシングすると共に、当該推奨フラグが「１」となっている映像ストリームの選手ＩＤが登録された選手ＩＤと一致している場合には、対応する登録選手アイコン３２３Ａをフラッシングし、また、当該推奨フラグが「１」となっている映像ストリームの撮影位置ＩＤが登録された撮影位置ＩＤと一致している場合には、対応する登録位置アイコン３２３Ｂ及び映像選択アイコン群３２２の内の一つの映像選択アイコンをフラッシングする（ステップＳ１０７）。
【０１１０】
ステップＳ１０７の次には、制御部３０１は、登録選手アイコン３２３Ａ、登録位置アイコン３２３Ｂまたは映像選択アイコン群３２２の内の一つの映像選択アイコンのいずれかが利用者によりタッチされて選択操作されたか否か判別する（ステップＳ１０８）。そして、このステップＳ１０８で、いずれのアイコンも選択操作されていないと判別したときには、制御部３０１は、処理をステップＳ１０５に戻し、このステップＳ１０５以降の処理を繰り返す。
【０１１１】
また、ステップＳ１０８で、登録選手アイコン３２３Ａ、登録位置アイコン３２３Ｂまたは映像選択アイコン群３２２の内の一つの映像選択アイコンのいずれかが利用者によりタッチされて選択操作されたと判別したときには、制御部３０１は、選択操作された登録選手アイコン３２３Ａ、登録位置アイコン３２３Ｂまたは映像選択アイコン群３２２の内の一つの映像選択アイコンのいずれかに対応する映像ストリームを放送信号から選択して再生し、メイン画像として表示画面３０５Ｄに表示する（図１１のステップＳ１１１）。
【０１１２】
次に、制御部３０１は、利用者により電源がオフとされるなどの終了指示がなされたか否か判別し（ステップＳ１１２）、終了指示がなされていないと判別したときには、処理をステップＳ１０３に戻して、このステップＳ１０３以降の処理を繰り返す。ステップＳ１１２で、終了指示がなされたと判別したときには、処理を終了する。
【０１１３】
また、ステップＳ１０６で、「１」である推奨フラグを検出してはいないと判別したときには、制御部３０１は、処理をステップＳ１０８にジャンプさせ、このステップＳ１０８以降の処理を繰り返す。
【０１１４】
［実施形態の効果］
以上のようにして、上述の実施形態によれば、観戦者が実際には観ることができない位置における選手のプレーを確実に観ることができる。そして、上記の実施形態によれば、選手がプレーの開始を予告するような推奨場面通知を観戦者端末は検知することができ、観戦者端末は、それを利用者に報知するので、利用者は、自分が観たい場面を見落としなく、確実に観ることができる。
【０１１５】
しかも、上述の実施形態においては、観戦者は、観戦者端末において、特に観たい選手や、特に観たい撮影位置を登録することができ、その登録した選手や撮影位置に対応して、推奨場面通知に基づく報知が、利用者に対してなされるので、特に観たい選手や、特に観たい撮影位置のプレーを、見逃しなく観視することが可能となる。
【０１１６】
［上述の実施形態の変形例］
上述の実施形態では、観戦者は、観戦者端末において、特に観たい選手や、特に観たい撮影位置を登録することができたが、登録方法はそれに限定されるものではないことは勿論である。観戦者の楽しみ方は多様であり、例えば、贔屓やファンではなくても、パッティングの名手などの特定の選手のパッティングだけは見逃したくないという場合もある。これに対応するには、選手と撮影位置の両者を対（ペア）にして登録する構成にする。
【０１１７】
また、首位争いや上位争い、あるいは優勝争いをしている選手のプレーだけは、どうしても観たいということも多い。この場合は、別途、ゴルフトーナメント大会における順位情報を、大会事務局が準備するサーバから入手したり、ゴルフ場の電光掲示板などによる順位表（リーダーボード）を文字認識したりすることで入手する。入手した順位情報から、首位もしくは上位（例えば上位５名や３位タイまで）の選手の選手名及び選手ＩＤを取得し、その選手を登録することにより、首位争いや上位争い、あるいは優勝争いのプレーを楽しむことができる。
【０１１８】
また、上述の実施形態では、映像収集配信設備装置２０では、映像ストリームに、撮影位置ＩＤ、選手ＩＤ及び推奨フラグを付加し配信するようにしたが、順位情報に基づく順位ＩＤを付加するようにしてもよい。この場合、１位、２位、３位、・・・という識別情報である順位ＩＤとその順位の選手が結び付けられ、利用者は、例えば「１位」や「１位、２位、３位」と順位を登録することにより、その順位の選手、すなわち、「１位の選手」や「１位、２位、３位の選手」のプレーを見逃すことなく、観ることができる。
【０１１９】
なお、順位ＩＤを映像ストリームに付加しなくても、同様の効果を得るようにすることもできる。例えば、観戦者端末３０が貸与される専用端末である場合に、当該専用端末の観戦者端末３０には、映像収集配信設備装置２０から、映像ストリームに付加されて、あるいは別途、順位情報が送られ、利用者は、その時点での各順位の選手を特定できるものとする。また、携帯端末に専用のアプリケーションがダウンロードされることで構成される観戦者端末３０の場合には、当該ゴルフ競技の大会事務局のサーバに定期的にアクセスすることで、順位情報を常に更新しながら入手できるものとする。
【０１２０】
そして、観戦者端末３０の利用者が観たい順位を登録すると、観戦者端末３０は、その登録された順位の選手を、既に入手した各順位の選手の情報から特定し、特定された選手の選手名から選手ＩＤを入手することで、順位と選手ＩＤを結びつける。そして、登録された順位に結び付けられた選手ＩＤが含まれる映像ストリームを監視することで、登録した順位の選手のプレーを見逃すことなく、観ることができる。なお、映像ストリームに付加する順位情報やサーバから取得する順位情報が、順位と選手名と選手ＩＤとを対応付けた情報とされていてもよい。
【０１２１】
また、ペアリングされた選手（２人乃至３人）の組は、一緒にラウンドするので、ペアリングされた選手の組を一括りにする組ＩＤを作成し、映像ストリームに付加するようにしてもよい。利用者は観たい組を登録することにより、その組の選手全員を一緒に観視することができる。
【０１２２】
なお、組ＩＤを映像ストリームに付加しなくても、同様の効果を得るようにすることもできる。この場合には、上述した順位情報と同様に、専用端末の観戦者端末３０では、映像収集配信設備装置２０から各組と、その組を構成する選手名の情報を入手でき、また、携帯端末に専用のアプリケーションがダウンロードされることで構成される観戦者端末３０の場合には、当該ゴルフ競技の大会事務局のサーバに、当該ゴルフ競技が開催される当日にアクセスすることで、各組の選手の情報を入手できるものとする。
【０１２３】
そして、観戦者端末３０の利用者が観たい組を登録すると、その登録された組のペアリングされている選手を、既に入手した各組の選手の情報から特定し、特定された組の複数の選手名を入手することで、登録された組と複数の選手の選手名を結びつける。そして、特定された複数の選手の選手名から複数の選手ＩＤを入手することで、その組と複数の選手ＩＤを結びつけることで、観戦者端末３０では、その組の選手全員のプレーを観視することができる。なお、映像ストリームに付加する組情報やサーバから取得する組情報が、組ＩＤと選手名と選手ＩＤとを対応付けた情報とされていてもよい。
【０１２４】
なお、利用者が観たい順位を登録したり、観たい組を登録したりする場合は、図７に登録順位アイコンや登録組アイコンが表示されるようにする。
【０１２５】
また、上述の実施形態では、登録する選手や撮影位置に優先順位付け（優先度の設定）をしなかったが、優先順位付けをするようにしてもよい。これにより、複数の観たい選手のプレーが重なった時や、複数の観たい撮影位置のプレーが重なった時でも、その時点で一番観たい選手や一番観たい撮影位置を選択することができる。観たい選手や観たい撮影位置が多い場合、推奨場面通知が頻繁に発生してしまうので、優先順位付けは、その通知を取捨選択するためにも有用となる。
【０１２６】
さらに、選手や撮影位置とは無関係に、挑戦的あるいは冒険的な場面を登録できるようにしてもよい。挑戦的あるいは冒険的な場面は、カメラが自動認識するか、撮影者が手動で開始キュー操作を入れることで、登録可能である。この場面は、池越えのショット、パー５のホールの２オン狙い、林の中からグリーンに向けてのリカバリーショットなど、リスクの高いものであり、興味を持つ観戦者は多い。
【０１２７】
また、上述の実施形態においては、推奨場面の予測検出は、
・選手がティーグランドに登場したこと、
・フェアウエイまたはラフを歩いていた選手が所定時間以上止まったこと、
・選手がパッティンググリーン上に登場したこと、
・選手がバンカー内に入ろうとしていること、
などの選手の挙動や状況を、画像認識により自動認識することにより行ったが、予測検出はこれに限定されない。例えば、選手が上記の挙動や状況になった後、ドライバー、アイアン、パターなどのゴルフクラブを握って、ゴルフボールに対峙してアドレスしたことを予測検出してもよい。この場合はまさにプレー直前であり、プレーの瞬間だけを観たい観戦者、短時間に多くの選手のプレーを観たい観戦者には、特に有用である。
【０１２８】
なお、上述の実施形態では、推奨フラグが「１」「０」の２値としたが、多値とすることもできる。例えば「３」「２」「１」「０」と４値とし、「３：推奨度大」「２：推奨度中」「１：推奨度小」「０：推奨しない」というように、数字の大きさで推奨度を表してもよい。上述したような選手や撮影位置に順位付けを、この推奨フラグの設定で行うこともできる。この場合、順位の高い選手や撮影位置に対して、推奨度を大きくする、すなわち推奨フラグを大きな数字にする。
【０１２９】
なお、映像収集配信設備装置２０からの観戦者端末３０への映像ストリーム配信技術（放送技術）は、上述した例に限らず、ＩＰマルチキャストによる映像ストリーム配信としてもよい。その場合には、配信装置部２２は、各観戦者端末３０から、ホールや選手に付いての登録情報を受け付けて記憶しておき、ホール毎や選手毎の映像ストリームを生成して、対応するホールや選手が登録されている観戦者端末に、対応する映像ストリームをマルチキャスト配信するようにすればよい。
【０１３０】
また、映像収集配信設備装置２０からの観戦者端末３０への映像ストリーム配信には、地上デジタル放送に割り当てられたＵＨＦ帯のホワイトスペースを活用して行われるワンセグ携帯等の地上デジタルテレビ放送受信機に向けたエリア限定放送サービスを利用することもできる。その場合には、観戦者端末としては、ワンセグ携帯等の地上デジタルテレビ放送受信機の機能を備えるスマートフォンなどの携帯端末を用いることができる。
【０１３１】
また、映像収集配信設備装置２０からの観戦者端末３０への映像ストリーム配信技術として、ＷｉＭＡＸ技術を用いるようにしてもよい。
【０１３２】
また、上述の実施形態では、カメラ１０の映像ストリームは、常時、映像ストリームとして配信するようにしたが、推奨場面通知情報により通知すべき場面が発生しつつある映像ストリームのみを配信するようにしてもよい。
【０１３３】
また、上述の実施形態では、カメラ１０は、ホール毎に固定的に配置したが、出場選手のそれぞれ毎にカメラ１０を配置し、選手の移動に応じて、撮影者がカメラ１０を持って、当該選手を追跡するように移動してもよい。この場合に、撮影対象となる選手は、当該ゴルフ競技に参加する全ての選手ではなく、特定の選手のみとしてもよい。
【０１３４】
そして、この場合には、映像ストリームは、上述の実施形態のような各ホールの各撮影位置のそれぞれの映像ストリームではなく、選手毎の映像ストリームとなるので、カメラ識別情報から選手を特定することができる。ただし、その場合に、カメラの現在位置情報から、カメラの撮影位置がどのホールのどの位置であるかのプレー位置情報を生成し、選手毎の映像ストリームに付加することで、撮影位置が何処であるかを認定できるようにする。
【０１３５】
また、上述の実施形態では、観戦者端末はタブレット型端末で説明したが、それに限定されるものではない。例えば、折り畳めるタイプの端末を用い、二画面ディスプレイとし、一方をメイン画像、他方をアイコンやサムネイル画像の選択用サブ画面としてもよい。
【０１３６】
なお、観戦者端末における推奨場面の予告の報知は、上述の実施形態では、表示画面において、アイコンやサムネイル画像をフラッシングするなどの表示による報知としたが、これに代えて、あるいはこれに加えて、音声による報知、振動により報知、などを行ってもよい。また、推奨場面の推奨度に大小が付いている場合（推奨フラグが多値の場合）は、推奨度が高いものほどフラッシングを激しくするなどして、利用者に確実に報知するようにできる。また、推奨度が高いものほどアイコンやサムネイル画像を大きくするようにしてもよい。
【０１３７】
なお、上述の実施形態では、推奨場面の予告の報知の有無に関係なく、表示画面に、登録選手アイコンや登録位置アイコンを表示していたが、メイン画像の邪魔にならないよう、推奨場面の予告の報知があったアイコンのみ表示するようにし、報知のないアイコンは表示しないようにしてもよい。
【０１３８】
また、各ホールのレイアウト図を表示画面に表示し、推奨場面がどの位置なのか、その位置でのフラッシングで報知してもよい。
【０１３９】
なお、ゴルフトーナメントの場合、２名乃至複数名でプレーオフが行われることがある。この場合、プレーオフを検出した時点で、従前の登録内容を抹消し、プレーオフに参加する選手をカメラが追従し、映像ストリームとして配信するようにする。
【０１４０】
さらに、優勝決定の瞬間は、非常に重要であるので、その映像ストリームは利用者に配信するようにする。また、優勝決定後は、優勝者や上位入賞者をカメラが追従し、その表情、インタビューや表彰式の模様が映像ストリームとして配信されることが望ましい。
【０１４１】
［他の実施形態］
上述の実施形態は、スポーツ競技がゴルフ競技の場合であったが、この発明が適用できるスポーツ競技は、ゴルフ競技に限られるものではないことは言うまでもない。例えば図１２は、体育館などの競技施設内の同一空間において行われる体操競技の場合（図１２は男子の場合）を示すものである。図１２に示すように、男子体操競技は、体育館などの競技施設内の同一空間において行われるものの、「ゆか」、「鉄棒」、「平行棒」、「跳馬」、「吊り輪」、「あん馬」の６種目のパフォーマンス（体操競技の場合には演技。以下、演技という）が同時並行的に行われる。そして、観戦者は、体育館などの競技施設内の観覧席から選手の演技を観戦する。
【０１４２】
したがって、観戦者は全体を見渡して、自分が好きな選手や種目の演技の開始を監視しながら観戦するが、ややもすると、観たい選手の演技の始まりがわからず、見落としてしまうことが生じてしまう。また、観覧席の位置によっては、観たい種目の演技の位置が遠くて見づらかったり、角度的に、あるいは障害物で、特定の種目の演技が見えなかったりする。例えば、図１２の例の場合、「平行棒」が見やすい席は「あん馬」が見づらく、「吊り輪」と「あん馬」が見やすい席は「平行棒」や「鉄棒」が見づらい傾向になる。
【０１４３】
そこで、図１２の例に示すように、各種目ごとにカメラ１０を配置すると共に、映像収集配信設備装置を設け、さらに、観戦者に観戦者端末を所持させるようにして、上述の実施形態と同様の構成のスポーツ競技ライブ観戦システムを構築することで、観たい選手の演技や、観たい種目の演技を、確実に監視することができるようになる。
【０１４４】
この場合には、配信される各カメラ１０の映像ストリームには、撮影位置ＩＤ（種目ＩＤ）と、選手ＩＤとが付加されると共に、推奨場面通知情報として、推奨フラグが同様に付加されるものである。そして、観戦者端末においては、上述の実施形態と同様に、特に観たい選手や種目の登録ができ、その登録した選手や種目についての推奨場面通知がされるものである。
【０１４５】
上記は男子体操競技の場合であるが、この発明は、女子体操競技においても、同様に適用できる。ただし、女子体操競技の場合は、「ゆか」、「跳馬」、「段違い平行棒」、「平均台」の４種目である。
【０１４６】
体操競技の場合、団体総合、個人総合、種目別と演技が行われる。団体総合の場合は、国別や大学別などで争われるため、配信される各カメラ１０の映像ストリームには、選手ＩＤの他に、選手の属する国や大学などのＩＤを付加してもよい。すなわち、観たい国や大学、応援したい国や大学などを識別するための国ＩＤや大学ＩＤなどを付加してもよい。また、種目別の場合は、一つの種目で選手が争うので、種目ＩＤとしての撮影位置ＩＤは不要である。ただし、その種目の演技を複数の位置から撮影し、その位置を種目の代わりに撮影位置ＩＤにすることができる。
【０１４７】
また、体操競技の場合も、ゴルフ競技の場合と同様、順位ＩＤや組ＩＤを適用できるのは勿論である。体操競技における団体総合と個人総合の場合、４〜６人程度の選手を組にして、同一種目をローテーションさせながら演技させるので、その組に対して組ＩＤを適用する。
【０１４８】
また、オリンピック競技の陸上競技においても、競技場のトラックやフィールド内で、多種目が同時並行的に競技や演技がなされるので、この場合にも同様にして、この発明が適用できる。
【０１４９】
さらに、この発明のスポーツ競技ライブ観戦システムを、マラソン競技に適用した場合においても、１０ｋｍ通過地点、２０ｋｍ通過地点・・・ゴール地点などの主要な位置にカメラを設置し、観戦者端末に主要な選手を登録しておくことで、登録した選手の１０ｋｍ通過地点、２０ｋｍ通過地点、ゴール地点などを推奨場面のパフォーマンスを確実に観視することができるようになる。駅伝競技などにおいても、同様に、この発明のスポーツ競技ライブ観戦システムを、適用することができる。
【０１５０】
また、広い会場で、同時に複数コートで試合が行われる場合のテニス、バドミントン、バレーボール、複数レーンで行われるボーリング、カーリング、複数台で行われる卓球などの競技にも適用可能である。
【０１５１】
なお、上述の実施形態では、映像ストリームには、推奨場面通知の例としての推奨フラグのみではなく撮影位置ＩＤ及び選手ＩＤが付加されているが、撮影位置ＩＤ及び選手ＩＤに関しては、その一方のみが付加されていてもよいし、その両方が付加されていなくてもよい。
【符号の説明】
【０１５２】
１０…カメラ、２０…映像収集配信設備装置、２１…収集装置部、２２…配信装置部、３０…観戦者端末
【図１】
2019216483.tif 000003
【図２】
2019216483.tif 000004
【図３】
2019216483.tif 000005
【図４】
2019216483.tif 000006
【図５】
2019216483.tif 000007
【図６】
2019216483.tif 000008
【図７】
2019216483.tif 000009
【図８】
2019216483.tif 000010
【図９】
2019216483.tif 000011
【図１０】
2019216483.tif 000012
【図１１】
2019216483.tif 000013
【図１２】
2019216483.tif 000014